(57)【要約】【課題】ランプの光出力がどの出力に変わるのかを音で認識できるとともに、音の発生がさらに有効に活用できる照明器具を提供することにある。【解決手段】ランプが装着された器具本体と、前記ランプの光出力をフル出力と調光出力で点灯させる点灯装置と、前記ランプがフル出力又は調光出力で点灯するときに音を発生する音発生装置と、を備えた照明器具において、前記音発生装置は、前記ランプがフル出力で点灯するときはフル出力点灯音を発し、前記ランプが調光出力で点灯するときは前記フル出力点灯音と異なる音である調光出力点灯音を発するものであることを特徴とする。【選択図】        図１
2004178928.tif 000002
【特許請求の範囲】
【請求項１】
ランプが装着された器具本体と、前記ランプの光出力をフル出力と調光出力で点灯させる点灯装置と、前記ランプがフル出力又は調光出力で点灯するときに音を発生する音発生装置と、を備えた照明器具において、前記音発生装置は、前記ランプがフル出力で点灯するときはフル出力点灯音を発し、前記ランプが調光出力で点灯するときは前記フル出力点灯音と異なる音である調光出力点灯音を発するものであることを特徴とする照明器具。
【請求項２】
前記音発生装置は、前記ランプが消灯するときには、前記フル出力点灯音と、前記調光出力点灯音と、のいずれの音とも異なる消灯出力点灯音を発するものであることを特徴とする請求項１記載の照明器具。
【請求項３】
前記音発生装置は、複数パターンの音を記憶した記憶装置と、この記憶装置に記憶された複数パターンの音を選択する選択部と、を備え、前記選択部で異なるパターンの音を選択することにより前記フル出力点灯音と、前記調光出力点灯音と、前記消灯出力点灯音と、を異なる音としたことを特徴とする請求項２記載の照明器具。
【請求項４】
前記複数パターンの音は、ブザー音、音楽、音声、音がないもの、であることを特徴とする請求項３記載の照明器具。
【請求項５】
前記音発生装置は、所定の時間のみ音を発生させるものであることを特徴とする請求項４記載の照明器具。
【発明の詳細な説明】
【０００１】
【発明の属する技術分野】
本発明は、ランプの点灯に応じて音を発する照明器具に関する。
【０００２】
【従来の技術】
この種の照明器具としては、特開昭６２−２２２５１０号公報に開示されたものがある。このものは、ランプが装着された器具本体と、ランプを点灯させる点灯装置と、ランプが点灯しているときに音を発生する音発生装置と、２４時間のタイマー装置と、を備えて構成されている。そして音発生装置には、使用目的に応じて取り換え可能な所定の音声データを記憶した音声メモリカードを備えている。
【０００３】
このものは、タイマー装置により所定の時刻になれば、ランプが点灯し、所定の音声データを再生することができるものである。具体的には、就寝前の所定の時間、ランプを点灯させるとともに所定の音声（例えば音楽）を再生させ、時間がくればランプを消し、音声出力も止めることができるものである。さらには起床時刻をタイマー装置でセットし、このセットされた起床時刻の例えば３０分前には、ランプを点灯させ、起床時刻になれば就寝前とは別の所定の音声（例えば、おはようございます）を再生させることができるものである。
【０００４】
このものは、音声メモリカードを使用目的に応じて取り換えることにより、使用している気分や使用している状況に応じた音声や音楽を発生させることができるものであった。
【０００５】
次に、これとは別のすでに市販されているものを説明する。この照明器具は、ランプが装着された器具本体と、ランプの光出力をフル出力と調光出力で点灯させる点灯装置と、ランプがフル出力又は調光出力で点灯するときに音を発生する音発生装置と、リモコン受信部と、を備えている。
【０００６】
このものは、リモコン受信部にリモコンからの信号が受信され、ランプが消えている状態から、フル点灯するときや調光点灯するときに音発生装置からブザー音を発生させるものである。さらにランプの点灯状態がフル点灯から調光点灯に変わったときや、逆に調光点灯からフル点灯に変わったときも音発生装置から同じブザー音を発生させるものである。このものは、音発生装置からブザー音を発生させることによりリモコンからの信号がリモコン受信部に受信されたことを確認できるものであった。
【０００７】
【特許文献１】
特開昭６２−２２２５１０
【０００８】
【発明が解決しようとする課題】
ところが上記した、特開昭６２−２２２５１０号公報に開示された照明器具では、就寝前の所定の間ランプの点灯と所定の音声を再生させたり、起床前の所定の時刻にランプを点灯させ、さらに起床したい時刻に所定の音声を再生させるものであり、ランプが点灯することや消灯することを音で確認できるものではなかった。これに対して、すでに市販されているものとして説明した照明器具は、ランプが点灯することや消灯することを音で確認できるものである。しかし、このものは、リモコンの受信信号を利用して、ランプの出力が変化することを単一のブザー音を発生してお知らせするものであり、ランプの光出力がどの出力になるのか、すなわちフル出力になるのか、あるいは調光出力になるのかを音で認識できるものではなかった。
【０００９】
本発明は、上記事由に鑑みてなしたもので、その目的とするところは、ランプの光出力がどの出力に変わるのかを音で認識できるとともに、音の発生がさらに有効に活用できる照明器具を提供することにある。
【００１０】
【課題を解決するための手段】
請求項１に係る発明の照明器具は、ランプが装着された器具本体と、前記ランプの光出力をフル出力と調光出力で点灯させる点灯装置と、前記ランプがフル出力又は調光出力で点灯するときに音を発生する音発生装置と、を備えた照明器具において、前記音発生装置は、前記ランプがフル出力で点灯するときはフル出力点灯音を発し、前記ランプが調光出力で点灯するときは前記フル出力点灯音と異なる音である調光出力点灯音を発するものであることを特徴とする。
【００１１】
請求項２に係る発明の照明器具は、請求項１において、前記音発生装置は、前記ランプが消灯するときには、前記フル出力点灯音と、前記調光出力点灯音と、のいずれの音とも異なる消灯出力点灯音を発するものであることを特徴とする。
【００１２】
請求項３に係る発明の照明器具は、請求項２において、前記音発生装置は、複数パターンの音を記憶した記憶装置と、この記憶装置に記憶された複数パターンの音を選択する選択部と、を備え、前記選択部で異なるパターンの音を選択することにより前記フル出力点灯音と、前記調光出力点灯音と、前記消灯出力点灯音と、を異なる音としたことを特徴とする。
【００１３】
請求項４に係る発明の照明器具は、請求項３において、前記複数パターンの音は、ブザー音、音楽、音声、音がないもの、であることを特徴とする。
【００１４】
請求項５に係る発明の照明器具は、請求項４において、前記音発生装置は、所定の時間のみ音を発生させるものであるたことを特徴とする。
【００１５】
【発明の実施の形態】
本発明の実施の形態を図１〜図４を用いて説明する。図１は照明器具の正面図、図２は音発生装置の正面図、図３は選択できる音のパターンの一覧を示した説明図、図４は音のパターンの切り替わりを示す説明図である。
【００１６】
この照明器具は、ランプ９が装着された器具本体１と、ランプ９の光出力をフル出力と調光出力で点灯させる点灯装置２と、ランプ９がフル出力又は調光出力で点灯するときに音を発生する音発生装置３と、を備えて構成されている。
【００１７】
器具本体１は、平板を打抜いて、絞り、折曲などの加工を施して略円板状に形成されたものである。そして、器具本体１の下側面には、ランプ９や常夜灯８が装着されている。
【００１８】
点灯装置２は、電子部品で構成させたインバータ式安定器であって、器具本体１の下面側に収納されている。そして、点灯装置２からは、ランプ９や常夜灯８や音発生装置３の各々に配線が施されており、点灯装置２は、音発生装置３からの制御信号を受けて、所定の出力をランプ９や常夜灯８に出力している。
【００１９】
音発生装置３は、ランプのＯＮ／ＯＦＦ信号や、ランプの明るさの切替信号や、音の切替信号などを受信するリモコン受信部３ａと、ブザー音などを再生するものでスピーカーなどで構成される音源部３ｂと、音源部３ｂで再生させる音のパターンを選択できる音のパターン切替ボタン３ｃと、リモコン受信部３ａやパターン切替ボタン３ｃからの信号に基づいてランプのＯＮ／ＯＦＦや、フル点灯と調光点灯の切替や、音のパターンの切替などの制御を行なう制御部（図示せず）と、を備えて構成されている。なお、リモコン受信部３ａにリモコン信号を送るリモコン送信器は、別途、この照明器具の外部に設けられている。
【００２０】
ここで重要なことは、音発生装置３は、ランプ９がフル出力で点灯するときはフル出力点灯音を発し、ランプ９が調光出力で点灯するときはフル出力点灯音と異なる音である調光出力点灯音を発するものとしていることである。さらに音発生装置３は、ランプ９が消灯するときには、フル出力点灯音と、調光出力点灯音と、のいずれの音とも異なる消灯出力点灯音を発するものであることである。これを具体的に説明すると図３のパターン１に示したようになる。つまり音発生装置３は、フル出力点灯音として楽曲Ａを、調光出力点灯音としてブザー音を、消灯出力点灯音として楽曲Ｂを、各々発するものとしている。
【００２１】
さらに、音発生装置３には、図３のパターン２やパターン３やパターン４に示したような音が記憶されており音のパターン切替ボタン３ｃを押すことにより図４のようにパターン１からパターン４までの切替ができるようになっている。
【００２２】
なお、ここで音声発生装置３は、楽曲Ａ、楽曲Ｂ、楽曲Ｃ、楽曲Ｄが終了するまで、又は、各々の楽曲において所定の時間のみ楽曲を再生させることが選択できるようになっており、ここでは、所定の時間のみ楽曲を再生させる方を選択しているものとする。
【００２３】
次に、この照明器具の動作を説明する。まず、音のパターン切替ボタン３ｃにより、どのメロディーのパターンを選択するかを決める。ここでは、パターン１を選択したものとする。次に、手もとのリモコンによりランプをフル点灯させるボタンを選択し、リモコンから信号を送信する。これにより音発生装置３のリモコン受信部３ａに信号が受信される。リモコン受信部３ａに信号が受信されると制御部に信号が送られ、制御部は、この信号に基づいて、点灯装置２にランプ９をフル点灯させる信号を出力するとともに音源部３ｂに楽曲Ａを再生させる信号を出力する。これにより点灯装置２はランプ９をフル出力で点灯させるとともに、音源部３ｂは所定の時間楽曲Ａを再生する。従って楽曲Ａがフル出力時の曲であることを認識しておれば、リモコンを操作していない人にも、ランプ９がどの光出力で点灯したかがわかるものとなる。
【００２４】
次に、ランプ９をフル点灯から調光点灯に切替えたい場合は、手元のリモコンでランプを調光点灯させるボタンを選択する。これにより前述したフル点灯の場合と同様に、リモコン受信部３ａに信号が受信され、制御部でこの信号に応じた処理がなされ、点灯装置２はランプ９を調光出力で点灯させるとともに、音源部３ｂはブザー音を再生するものとなる。これによりブザー音が調光点灯であることを認識していれば、音でもランプ９が調光点灯していることがわかるものとなる。さらに、ランプ９を消して常夜灯８のみの点灯にしたい場合も、手元のリモコンの常夜灯を点灯させるボタンを選択することにより、常夜灯８が点灯し、楽曲Ｂが再生されるものとなる。なお、ここでは常夜灯８もランプ９もともに点灯させない場合においても楽曲Ｂが再生されるようにしてある。ここで、楽曲Ｂに眠りにつくのにふさわしい音楽や、部屋が暗くなって不安になることに対して不安を和らげる音楽などを選曲しておくことで、より音をより有効に活用できるものとなり、特に乳幼児などには、有効である。
【００２５】
なお、前述した点灯パターン以外のものとして、ランプ９が消灯している状態から調光出力で点灯させた場合はブザー音のみが発生するものとなり、ランプ９が調光点灯からフル点灯に切替った場合は、楽曲Ａが再生されるものとなる。
【００２６】
さらに、楽曲の変更については、音のパターン切替ボタン３ｃにより可能であり、例えば、全ての状態において音なしにしたい場合は、音のパターン切替ボタン３ｃを押してパターン４を選択すればよいものとなる。
【００２７】
この実施の形態によると、音発生装置３をランプ９がフル出力で点灯するときはフル出力点灯音を発し、ランプ９が調光出力で点灯するときはフル出力点灯音と異なる音である調光出力点灯音を発するものとしたことにより、その音を聞くことによりランプ９の光出力がどの出力に変わるのかを音で認識できるとともに、この音に楽曲などを選ぶことにより音の発生により気持ちが和んだり高揚したりなど、より有効に活用できるものとなる。
【００２８】
さらに音発生装置３は、ランプ９が消灯するときには、フル出力点灯音と、調光出力点灯音と、のいずれの音とも異なる消灯出力点灯音を発するものであることにより、ランプが消灯したときにも音が発生するので、さらに気持ちに変化をつけることができるものとなる。
【００２９】
なお、音発生装置３に複数パターンの音を記憶した記憶装置と、この記憶装置に記憶された複数パターンの音を選択する選択部と、を設け、選択部で異なるパターンの音を選択することによりフル出力点灯音と、調光出力点灯音と、消灯出力点灯音と、を異なる音としたものでもよく、この場合は、記憶部に多数の音のパターンを記憶させることにより、色々なパターンでの音の再生が可能となる。さらに、この記憶装置をメモリカードなどで構成し、色々な音楽や音声を携帯電話やパソコンから取り入れることができるようにすればさらに使用者の気持ちに応じたものを選択することができるものとなる。
【００３０】
なお、ここでは、点灯装置２とリモコンは、フル点灯と調光点灯のみの機能を持ったもので説明したが、例えば、ランプ９の光出力を０％〜１００％まで可変できるものであってもよい。この場合には、音のパターンとしては、０〜１００％の間を例えば４等分して、光出力が０〜２５％は楽曲Ｅ、光出力が２６〜５０％は楽曲Ｆ、光出力が５１〜７５％は楽曲Ｇ、光出力が７６〜１００％は楽曲Ｈ、とすることにより、ランプ９の光出力がどの出力の範囲にあるかがわかるものとなる。
【００３１】
また、ここでは、光出力の変更をリモコンの操作で説明したが、例えば、プルスイッチなどで光出力を変えるような場合でもよく、この場合にも、フル点灯には楽曲Ａ、調光点灯にはブザー音、を選択することで、同様にその音を聞くことによりランプ９の光出力がどの出力に変わるのかを音で認識できるものとなる。さらに、この場合においても常夜灯８が点灯したときに楽曲Ｂを再生し、この楽曲に気持ちが和むものを選ぶことにより、乳幼児などの気持ちを和らげることができるものとなる。
【００３２】
【発明の効果】
請求項１記載の発明にあっては、ランプが装着された器具本体と、前記ランプの光出力をフル出力と調光出力で点灯させる点灯装置と、前記ランプがフル出力又は調光出力で点灯するときに音を発生する音発生装置と、を備えた照明器具において、前記音発生装置は、前記ランプがフル出力で点灯するときはフル出力点灯音を発し、前記ランプが調光出力で点灯するときは前記フル出力点灯音と異なる音である調光出力点灯音を発するものであることにより、その音を聞くことによりランプの光出力がどの出力に変わるのかを音で認識できるとともに、この音に楽曲などを選ぶことにより音の発生により気持ちが和んだり高揚したりなど、より有効に活用できるものとなる。
【００３３】
請求項２記載の発明にあっては、前記音発生装置は、前記ランプが消灯するときには、前記フル出力点灯音と、前記調光出力点灯音と、のいずれの音とも異なる消灯出力点灯音を発するものであることにより、請求項１に記載した効果を奏するうえに、ランプが消灯したときにも音が発生するので、さらに気持ちに変化をつけることができるものとなる。
【００３４】
請求項３記載の発明にあっては、前記音発生装置は、複数パターンの音を記憶した記憶装置と、この記憶装置に記憶された複数パターンの音を選択する選択部と、を備え、前記選択部で異なるパターンの音を選択することにより前記フル出力点灯音と、前記調光出力点灯音と、前記消灯出力点灯音と、を異なる音としたことにより、請求項２に記載した効果を奏するうえに、記憶部に多数の音のパターンを記憶させることにより、色々なパターンでの音の再生が可能となる。
【００３５】
請求項４記載の発明にあっては、前記複数パターンの音は、ブザー音、音楽、音声、音がないもの、であることにより、請求項３に記載した効果をさらに高めることができる。
【００３６】
請求項５記載の発明にあっては、前記音発生装置は、所定の時間のみ音を発生させるものであることにより、請求項４に記載した効果をさらに高めることができる。
【図面の簡単な説明】
【図１】本発明の実施の形態に係る照明器具の正面図である。
【図２】同上の照明器具の音発生装置の正面図である。、図４はである。
【図３】同上の照明器具の選択できる音のパターンの一覧を示した説明図である。
【図４】同上の照明器具の音のパターンの切り替わりを示す説明図である。
【符号の説明】
１      器具本体
２      点灯装置
３      音発生装置
３ａ    リモコン受信部
３ｂ    音源部
３ｃ    音のパターン切替ボタン
８      常夜灯
９      ランプ
【図１】
2004178928.tif 000003
【図２】
2004178928.tif 000004
【図３】
2004178928.tif 000005
【図４】
2004178928.tif 000006